(57)【要約】      （修正有）【課題】遠赤外線を体に照射しながら、腸内善玉菌を増殖させることによって容易に基礎体温を上昇でき、免疫力を向上させることでき、さらにはガン等の腫瘍を弱体化させることの出来るシステムを提供する。【解決手段】体に波長が６〜１２ミクロンの遠赤外線を照射し、血流の温度を高めるための第１遠赤外線照射工程と、該第１遠赤外線照射工程で暖められた血流によって活性化された前記体の腸内に善玉菌の栄養素を供給するための腸内善玉菌育成栄養摂取工程とを含み、前記第１遠赤外線照射工程及び前記腸内善玉菌育成栄養摂取工程を繰り返すことによって前記腸内の善玉菌の増殖を図り、基礎体温の上昇を図る温熱式健康回復システム。【選択図】図１
2011000405.tif 000002
【特許請求の範囲】
【請求項１】
体に波長が６〜１２ミクロンの遠赤外線を照射し、血流の温度を高めるための第１遠赤外線照射工程と、該第１遠赤外線照射工程で暖められた血流によって活性化された前記体の腸内に善玉菌の栄養素を供給するための腸内善玉菌育成栄養摂取工程とを含み、前記第１遠赤外線照射工程及び前記腸内善玉菌育成栄養摂取工程を繰り返すことによって前記腸内の善玉菌の増殖を図り、基礎体温の上昇を図ることを特徴とする温熱式健康回復システム。
【請求項２】
前記請求項１記載の温熱式健康回復システムは、前記体の基礎体温が上昇した後、さらに前記第１遠赤外線の温度よりも温度が高く、腫瘍細胞の活動を弱体化する温度の第２遠赤外線を前記体に照射する第２遠赤外線照射工程を含むことを特徴とする。
【請求項３】
前記請求項２記載の第１及び第２遠赤外線は、同一波長帯であることを特徴とする。
【請求項４】
前記請求項１及び２記載の遠赤外線を照射する装置は、前記体の頭部以外を包囲するマット状又は袋状のものであることを特徴とする。
【請求項５】
前記請求項２記載の第２遠赤外線温度は、４２〜４３℃の範囲内に設定されてなることを特徴とする。
【発明の詳細な説明】
【技術分野】
【０００１】  この発明は、遠赤外線を用いた温熱式健康回復システムに関する。
【背景技術】
【０００２】  従来、ガン等の腫瘍は、高温に弱いと言われてきた。この高温を得るために各種の方法が考え出された。
例えば、高周波電力を用いるものが、特許文献に記載されている。
【特許文献】特開２００２−１７８７５号
【発明の開示】
【発明が解決しようとする課題】
【０００３】  しかしながら、上記特許文献に記載されているような装置は、形状的にも大きく、また装置としても大掛かりなものとなり、設定場所が限られるので、一般家庭等の建物内に安易に設置できない。また操作も複雑で素人では容易に操作出来ない。さらに、価格的にも高価なものになり個人病院、一般家庭に導入できないという問題点があった。【０００４】  そこで、この発明は、上記問題点を鑑みてなされたもので、手近にある遠赤外線を体に照射しながら、腸内善玉菌を増殖させることによって容易に基礎体温を上昇でき、免疫力を向上させることでき、さらにはガン等の腫瘍を弱体化させることの出来るシステムを提供することを目的とするものである。
【課題を解決するための手段】
【０００５】    上述の目的を達成するため、この発明は、体に波長が６〜１２ミクロンの遠赤外線を照射し、血流の温度を高めるための第１遠赤外線照射工程と、該第１遠赤外線照射工程で暖められた血流によって活性化された前記体の腸内に善玉菌の栄養素を供給するための腸内善玉菌育成栄養摂取工程とを含み、前記第１遠赤外線照射工程及び前記腸内善玉菌育成栄養摂取工程を繰り返すことによって前記腸内の善玉菌の増殖を図り、基礎体温の上昇を図ることを特徴とする温熱式健康回復システムに関する。【０００６】  また、前記温熱式健康回復システムは、前記体の基礎体温が上昇した後、さらに前記第１遠赤外線の温度よりも温度が高く、腫瘍細胞の活動を弱体化する温度の第２遠赤外線を前記体に照射する第２遠赤外線照射工程を含むものである。【０００７】  また、前記第１及び第２遠赤外線は、同一波長のものである。【０００８】  また、前記遠赤外線を照射する装置は、前記体の頭部以外を包囲するマット状又は袋状にしたものである。【０００９】  また、前記第２遠赤外線温度は、４２〜４３℃の範囲内に選択設定されてうるものである。
【発明の効果】
【００１０】  この発明の温熱式健康回復システムでは、簡単な設備で、患者等の体の基礎体温を無理なく、かつ確実に上昇できると共に、それに伴って免疫力を向上できる。
従って、ガン等の術後の低下した免疫力の回復を、低価格、簡単な設備を用い、かつ人の手を借りずに自宅等で容易に実施できる。【００１１】  さらに、請求項２に記載の発明では、免疫力を高めた後に、さらに体温を基礎体温よりも高くすることによって、熱に弱いガン等の腫瘍細胞の活動を弱体化できる。【００１２】  また、請求項３に記載の発明では、第１及び第２遠赤外線を同一波長帯とすることによって第１及び第２遠赤外線を発生させる装置を同一のものを利用でき、コストを押さえられる。【００１３】  また、請求項４に記載の発明では、体の頭部以外を包囲するマット状又は袋状にしたので、遠赤外線が体全体の皮膚から体内に入り込み、血流の温度を効率よく上げることができる。【００１４】  また、請求項５に記載の発明では、４２〜４３℃の範囲内に設定された第２遠赤外線で体全体を暖めるので、全身に流れる血液の温度が上がり、体の隅々にまで流れ込み、ガン細胞の活動を弱体化できる。
【実施例１】
【００１５】  以下に、この発明の第１実施例の形態を図１、図５及び図６に基づいて説明するが、図１では基礎体温上昇工程Ａとガン細胞活動弱体化工程Ｂとを示しており、この順に以下に説明する。【００１６】  まず、前記基礎体温上昇工程Ａは、図１において、一点鎖線の枠内に示す、第１体温測定工程１、腸内洗浄工程２、第１遠赤外線照射工程３、腸内善玉菌育成栄養摂取工程４，第２体温測定工程５、体温記憶手段６、基礎体温改善判定工程７、第１改善パターン記憶手段８、基礎体温向上温度設定部９から構成されている。その詳細は、以下に説明する通りである。【００１７】  第１体温測定工程１は、患者３３の体の基礎体温を測定する工程で、この工程で測定された基礎体温が、初期値として後述の体温記憶手段６に記憶され、その後、腸内洗浄工程２に進み、腸内が洗浄される。これによって、免疫細胞の一種であるリンパ球の７０％が存在する腸内の環境を改善させる。【００１８】  次に、第１遠赤外線照射工程３は、患者３３によって操作された、切替スイッチ等から構成された基礎体温向上温度設定部９からの指示温度に基づいて、前記患者３３が汗をかかない範囲の上限温度の遠赤外線（６〜１２ミクロンの育成光線）を出力するものである。【００１９】  この第１遠赤外線照射工程３では、患者３３は、遠赤外線発生用マット３０の上に横になり、その上方から、枕３２に載置される患者３３の頭部３３ａを除く体全体を包囲するように遠赤外線発生用ドーム３１によって包囲すると共に、ドーム３１の両端開口部Ｃ，Ｄは、内部の温熱がドーム３１外に漏れないようにタオル３４，３６によって塞がれている。【００２０】  また、前記遠赤外線発生用ドーム３１は、ドーム状の木製枠体の内周面に遠赤外線発生用のカーボン皮膜を形成したものから構成されると共に、径の異なる２つのドーム３１ａ，３１ｂから構成され、患者３３の身長に合わせてオーバーラップ部分の重なり度合いを調整して使用する。【００２１】  このように構成することによって、患者３３は前記遠赤外線発生用ドーム３１の中で手足等を自由に動かすことが出来、楽に遠赤外線の照射受けることが出来る。特に暑さに弱い患者にとっては体を動かしながら照射を受けられるので気持ちが紛れて精神的に楽で、治療に良い結果をもたらす。【００２２】  なお、上記においては、前記遠赤外線発生用マット３０と前記遠赤外線発生用ドーム３１とによって患者３３の体を周囲から包囲するようにしていたが、前記遠赤外線発生用ドーム３１に替えて前記遠赤外線発生用マット３０と同一のものであっても、また寸法を小さくしたもの（図７の符号３６で示す）であっても良いことは言うまでもないことである。寸法が小さいものは、図８符号３６で示すように、部分的にできたガン等の腫瘍を遠赤外線発生用マット３０と挟み込むようにして配置し、使用するものである。【００２３】  なお、同一の前記遠赤外線発生用マット３０を２枚使用するに当たっては、別体で使用せずに、２枚の周縁の３辺のみを縫い合わせ、袋状に形成したものであってもよい。【００２４】  また、後述の第２遠赤外線照射工程２１では患者３３の患部に届く血流の温度を４２〜４３℃にまで上昇させる必要があるために、前記寸法が���さい遠赤外線発生用マット３６を使用して患部を挟み込む必要がある。【００２５】  しかしながら、ガン等の腫瘍が体全体に転移している場合には患者３３の頭部３３ａを除く部分を前記遠赤外線発生用マット３０で上下から挟み込むようにして体全体に均等に遠赤外線を供給する必要がある。【００２６】  これによって、遠赤外線から血流の与えられた温度が体内の他の部分に逃げることがないので、どこにあるか分からない、転移した小さな癌細胞も逃がさずに、消滅させることが出来る。【００２７】  なお、前記遠赤外線発生用マット３０は、面状に配置された１枚のヒータの上にアメジスト、ブラックトルマリン等の鉱石をほぼ均等に敷き詰めたもので、これらの鉱石がヒータによって暖められて効率よく６〜１２ミクロンの育成光線を発生し、前記患者３３の体の中に入り込むもの（皮膚から１５ｃｍ程度）である。【００２８】  腸内善玉菌育成栄養摂取工程４は、図４に示すように献立選択工程４Ａ、献立メモリ４Ｂ、摂取工程４Ｃから構成される。
まず、献立選択工程４Ａにおいて、図示されない表示画面に表示される献立メモリ４Ｂに記憶された献立表の中から患者３３の好みに合わせて選択すると、次の摂取工程４Ｃで選択された献立のものを摂取する。【００２９】  なお、この摂取に当たっては、腸内の悪玉菌には分解できず、善玉菌のみが分解でき、善玉菌の栄養素となるオリゴ糖、食物繊維を多く含む野菜類、果物類、豆類を患者３３に摂取させる。【００３０】  また、この腸内善玉菌育成栄養摂取工程４において、腸に流れる血流の温度が高くなるにつれて善玉菌の活動は活性化され、摂取された食物の分解は高まり、善玉菌の数は増大する。【００３１】  第２体温測定工程５は、前記腸内善玉菌育成栄養摂取工程４の後に行う工程で、この工程では患者３３の基礎体温を測定し、その結果、体温記憶手段６に供給し、データ取得時間と共に記憶せしめる。【００３２】  なお、体温記憶手段６は、前記第１及び第２体温測定工程１，５から供給される基礎体温を、図示されない計時手段からの日時データを添付して時系列的に記憶している。【００３３】  基礎体温改善判定工程７は、前記体温記憶手段６に記憶されている基礎体温の時系列的変化の程度を後述の第１改善パターン記憶手段８に記憶された基準パターンと比較して、その類似度が所定値以上になった場合、後述のガン細胞活動弱体化工程Ｂに進む。
しかしながら、所定値以下の場合には、前記腸内洗浄工程２又は第１遠赤外線照射工程３に戻る指示を出す。【００３４】  次に、上記構成の作用説明を行う。
まず、患者３３は、基礎体温の初期値として第１体温測定工程１で測定を行い、次の腸内洗浄工程２にて腸内の洗浄を行う。次いで、第１遠赤外線照射工程３にて、マット３０とドーム３１との間に形成された空間部に患者３３の体を仰向け、又は俯せ状態にして横たえ、遠赤外線の照射を受けると共に、腸内善玉菌育成栄養摂取工程４にて、善玉菌を育成するための食物の摂取を行った後に、第２体温測定工程５で基礎体温の測定を行い、測定結果を体温記憶手段６に記憶せしめる。【００３５】  その結果、基礎体温改善判定工程７では、体温記憶手段６から読みとった基礎体温の時系列データの変化パターンが第１改善パターン記憶手段８に記憶された基準パターンと、類似度が相関度合いから比較され、所定値に達しない場合には、達するまで腸内洗浄工程２又は第１遠赤外線照射工程３に戻って、繰り返す。【００３６】  しかしながら、所定値に達成すると、基礎体温は正常な状態に戻り、免疫力も正常に戻ったと判断される。【００３７】  すなわち、手術後で免疫力が通常値以下に低下しているような場合には、図１に示す基礎体温上昇工程Ａを実施することによって免疫力を正常値に維持可能になり、ガン細胞等が大きくなるのを防止できる。【００３８】  また、第１遠赤外線照射工程３及び腸内善玉菌育成栄養摂取工程４のみを施すことによって終末期のガン患者のガン細胞に対する免疫力を保持でき、延命の効果を発揮させることが出来る。
次にガン細胞活動弱体化工程Ｂに進む。【００３９】  なお、上記基礎体温上昇工程Ａを１週間、午前と午後の１時間実施することによって基礎体温は大凡１〜２℃上昇し、施術前の基礎体温が例えば３５．６℃であった人が施術後３７．１℃になった。【００４０】  次に、ガン細胞活動弱体化工程Ｂの詳細を図２に基づいて説明するが、このガン細胞活動弱体化工程Ｂは、第１腫瘍マーカ測定工程２０、第２遠赤外線照射工程２１、第２腫瘍マーカ測定工程２２、腫瘍マーカ値改善判定工程２３、第２改善パターン記憶手段２４、腫瘍マーカ値記憶手段２５、腫瘍弱体化温度設定部２６から構成され、遠赤外線によって血流の温度を４２〜４３℃の範囲まで高め、ガン細胞を弱体化せしめるものである。【００４１】  次にそれらの詳細を説明する。
第１腫瘍マーカ値測定工程２０は、まず前記基礎体温改善判定工程７から進んで来ると、患者３３の腫瘍マーカ値を測定し、腫瘍マーカ値記憶手段２５に記憶せしめ、第２遠赤外線照射工程２１に進む。【００４２】  第２遠赤外線照射工程２１は、前記第１遠赤外線照射工程３と実質的には同一で、違いは発生温度のみである。すなわち、前記第２遠赤外線照射工程２１は、腫瘍弱体化温度設定部２６からの指示温度に基づいてガン細胞が弱体化する４２〜４３℃の範囲の遠赤外線を発生させ、患者３３の頭部３３ａを除く体全体に向けて照射する。【００４３】  第２腫瘍マーカ測定工程２２は、前記第２遠赤外線照射工程２１が終了した時点で患者３３に対して行う腫瘍マーカ測定で、ここでの測定結果は腫瘍マーカ値記憶手段２５に時系列的に記憶せしめられる。【００４４】  腫瘍マーカ値改善判定工程２３は、前記第２遠赤外線照射工程２１が終了した後の工程で、この工程に進んで来ると、前記腫瘍マーカ値記憶手段２５から腫瘍マーカ値を時系列的に読みとり、第２改善パターン記憶手段２４に記憶された基準パターンとの差異を相関関係から判断し、差異が所定値に達していない場合には、改善されていないとして前記第２遠赤外線照射工程２１に戻る。
所定値以上であると判断されると、終了を示す信号が出力端子Ｙに出力される。【００４５】  次に、上記ガン細胞活性弱体化工程Ｂの作用説明を行う。
患者３３は、第１腫瘍マーカ値測定工程２０において、腫瘍マーカ値を測定した後に、第２遠赤外線照射工程２１で、４２〜４３℃の遠赤外線の照射を例えば一日一時間照射を受け、全身の血流の温度を高めるので、大きく成長したガン細胞は勿論のこと、検査で発見できないようなガン細胞、転移したが未だ小さいガン細胞にも同一温度の温熱を与えるので、ガン細胞は次第に弱体化していく。【００４６】  その結果、大きく成長したガン細胞の成長は止まったり、小さくなる。また、検査で発見できないような小さなガン細胞、転移したが未だ小さいガン細胞は消滅する。従って、抗ガン剤を併用する場合にも、投与する量を少なくすることができ、副作用を少なくできる。【００４７】  この第２遠赤外線照射工程２１での遠赤外線の照射が終了すると、第２腫瘍マーカ値測定工程２２に進み、第２遠赤外線照射工程２１の終了時点の腫瘍マーカ値が測定され、腫瘍マーカ値改善判定工程２３に進み、腫瘍マーカ値記憶手段２５から腫瘍マーカ値を時系列的に読み取り、その変化の状態と第２改善パターン記憶手段２４に記憶されている基準パターンとの比較が行われ、相関値が求められ、その相関値が所定値以下の場合には未だガン細胞は活動していると判断し、第２遠赤外線照射工程２１に戻す。【００４８】  一方、所定値以上であると判断されると、治療の終了を示す信号が出力端子Ｙに出力される。
【図面の簡単な説明】
【００４９】
【図１】この発明のシステム全体の構成説明図である
【図２】図１のガン細胞弱体化工程Ｂを説明するためのシステムブロック説明図である。
【図３】体温をパラメータにしたときのガン細胞生存率と加熱時間との関係を示すグラフである。
【図４】腸内善玉菌育成栄養摂取工程４のシステムブロック説明図である。
【図５】基礎体温上昇工程Ａ及びガン細胞弱体化工程Ｂで使用する装置の構成説明図である。
【図６】図５に示す装置の使用状態を説明する説明図である。
【図７】ガン細胞活動弱体化工程Ｂで使用する装置の分解説明図である。
【図８】図７に示す装置の使用状態を説明する説明図である。
【符号の説明】
【００５０】Ａ  基礎体温上昇行程
Ｂ  ガン細胞活動弱体化工程
１  第１体温測定工程
２  腸内洗浄工程
３  第１遠赤外線照射工程
４  腸内善玉菌育成栄養摂取工程
５  第２体温測定工程
６  体温記憶手段
７  基礎体温改善判定工程
８  第１改善パターン記憶手段
９  基礎体温向上温度設定部
３３  患者
３０  遠赤外線発生用マット
３３ａ  頭部
３１  遠赤外線発生用ドーム
３１ａ，３１ｂ  ドーム
３６  遠赤外線発生用マット
２０  第１腫瘍マーカ測定工程
２１  第２遠赤外線照射工程
２２  第２腫瘍マーカ測定工程
２３  腫瘍マーカ値改善判定工程
２４  第２改善パターン記憶手段
２５  腫瘍マーカ値記憶手段
２６  腫瘍弱体化温度設定部
【図１】
2011000405.tif 000003
【図２】
2011000405.tif 000004
【図３】
2011000405.tif 000005
【図４】
2011000405.tif 000006
【図５】
2011000405.tif 000007
【図６】
2011000405.tif 000008
【図７】
2011000405.tif 000009
【図８】
2011000405.tif 000010